(57)【特許請求の範囲】
【請求項１】
多数の開孔を有する前面板部と、遮音性を有する背面板部と、左側面板部及び右側面板部と、上面板部及び下面板部とにより形成された中空体内に吸音材が内装された防音パネルであって、背面板部は、上下端部が内部に向かって折曲された断面コ字状の背面板ユニットが複数個上下に配列されて形成されてなることを特徴とする防音パネル。
【請求項２】
前面板部は、多数の開孔を有する前面板ユニットが複数個上下に配列されて形成されてなることを特徴とする請求項１記載の防音パネル。
【発明の詳細な説明】
【０００１】
【発明の属する技術分野】
本発明は、主として、車両等の走行に伴う騒音を遮音、吸音するために、高速道路や鉄道の沿線等に沿って設置される防音パネルに関するものである。
【０００２】
【従来の技術】
例えば車両などの走行に伴う騒音を遮音、吸音するために設置される防音壁に用いられる吸音パネルとして、例えば、多数の開孔を有する前面板部と、遮音性を有する背面板部と、左側面板部及び右側面板部と、上面板部及び下面板部とによりパネル状に形成された中空体内に吸音材が内装された防音パネルがある。かかる防音パネルの前面板部は多数の開孔を有することから、加工性がよく、又軽量であるアルミニウム合金板から一般には形成され、そして風荷重等に対する防音パネルとしての強度確保は、主として背面板部によってなされており、従って背面板部は亜鉛めっき鋼板等の強度を有する板材から一般に形成されている。
【０００３】
【発明が解決しようとする課題】
従来、かかる防音パネルの背面板部は、その背面板部に占める全面積に対応する大きさの一枚の板材を折曲したものから形成されていたので、例え背面板部に亜鉛めっき鋼板等の強度を有する板材を用いていても高さ寸法が高くなると、強度確保に限界があり、例えば背面板部として厚み１．６ｍｍの亜鉛めっき鋼板を用いた場合、防音パネルの高さ寸法は、一般に標準仕様として用いられている横幅寸法を１．５ｍ、２ｍ、４ｍ等とすると、５０ｃｍ程度が強度的に限界であり、それ以上の高さ寸法になると、前例の厚み１．６ｍｍの寸法では風荷重等に対する要求強度を満足することが困難となる。
【０００４】
そのために従来では、防音パネルを高さ２ｍ以上の防音壁として設置する場合は、高さ５０ｃｍ程度の高さ寸法の低い防音パネルを複数個作成し、それらを段積みして設置するようにしている。しかしながら、高さ寸法の低い防音パネルを複数個作成し、それらを段積みして設置するのは、製造費用が高価になり、又施工も手間がかかることから、高さ寸法が高く且つ強度を有する防音パネルが要望されている。
【０００５】
そこで本発明は上記の如き問題を解決し、高さ寸法を高くしても必要な強度を確保することのできる防音パネルを提供せんとするものである。
【０００６】
【課題を解決するための手段】
上記目的を達成するために、本発明は次のような構成としている。
すなわちこの発明に係る防音パネルは、多数の開孔を有する前面板部と、遮音性を有する背面板部と、左側面板部及び右側面板部と、上面板部及び下面板部とにより形成された中空体内に吸音材が内装された防音パネルであって、背面板部は、上下端部が内部に向かって折曲された断面コ字状の背面板ユニットが複数個上下に配列されて形成されてなることを特徴とするものである。
【０００７】
本発明によれば、背面板部は、複数個の断面コ字状の背面板ユニットから形成され、その各背面板ユニットの各々が強度を受け持つので、従来の如き背面板部を一枚の板材を折曲したものから形成したものに比べて強度的に優れ、背面板部に従来と同じ板厚の面材を使用しても、強度を保ちつつ高さ寸法を高くすることができる。
【０００８】
又本発明において、前面板部を、多数の開孔を有する前面板ユニットを複数個用い、それらを上下に配列することにより形成してもよい。かようにすれば、適宜各前面板ユニットの形態を変えることができるので、必要に応じて変化に富んだ防音パネルを得ることができる。又破損や劣化した場合は、前面板部全面を取り替える必要はなく、破損や劣化した前面板ユニットのみを取り替えればよいので、メンテナンスも容易となる。
【０００９】
さらに、かように前面板部及び背面板部を、それぞれ前面板ユニット及び背面板ユニットとにより形成すると、防音パネルを製作する場合は、必要な高さ寸法の左側面板部及び右側面板部を用意し、その前面側に前面板ユニットを、背面側に背面板ユニットを順次配列すればよく、前面板部及び背面板部として大きな面材を用いないので、製作が極めて容易となり、さらに高さ寸法の異なる左側面板部及び右側面板部を複数用意しておけば、前面板ユニット及び背面板ユニットを共通部材として、必要に応じて、その高さに対応した個数の前面板ユニット及び背面板ユニットを配列すれば、高さ寸法の異なる複数種類の防音パネルを素早く且つ容易に製作することができる。
【００１０】
【発明の実施の形態】
次に、本発明の実施の形態について図面を参照し、具体的に説明する。
すなわち図１は本発明に係る防音パネルの実施の一形態を示す斜視図、図２は図１の分解斜視図、図３は図１の横断面図、図４は図１の縦断面図である。
【００１１】
本形態に示された防音パネルは、ほぼ全面に多数の開孔１１を有し、アルミニウム合金板からなる前面板部１と、その背後に配置され、亜鉛めっき鋼板からなる遮音性を有する背面板部２と、左右それぞれに配置された左側面板部３及び右側面板部４と、上下それぞれに配置された上面板部５及び下面板部６とによってパネル状に形成された中空体７内に、グラスウール等の吸音材８が内装されたものであって、前面板部１の開孔１１より中空体７内に入射された騒音は吸音材８により吸音されると共に、背面板部２により遮音されて音が背面側に漏れることがないようになされたものである。尚、前記開孔１１は、本形態ではパンチング状に穿設されているが、スリット状に穿設されていてもよく、特にその形態は限定されるものではない。また、前面板部１は、軽量且つ加工性の容易なアルミニウム合金板から形成されているが、これに限定されず、例えばステンレス板や亜鉛メッキ鋼板等の鋼板等、任意の板材から形成できる。
【００１２】
さらに、本形態においては、前記前面板部１は、ほぼ全面に多数の開孔１１を有する複数個の前面板ユニット１ａから形成され、それらが左側面板部３及び右側面板部４の前面側に上下に配列され、その両端部が前記左側面板部３及び右側面板部４にそれぞれ取付けられている。
【００１３】
又背面板部２は、上下端部が内部に向かって折曲された複数個の断面コ字状の背面板ユニット２ａから形成され、それらが左側面板部３及び右側面板部４の背面側に上下に配列され、その両端部が前記左側面板部３及び右側面板部４にそれぞれ取付けられている。前記背面板ユニット２ａの強度をさらに高めるため、コ字内部に適宜リブを突設させておいてもよい。
【００１４】
なお、上面板部５は、最上段の背面板ユニット２ａの折曲部が延設されてこの背面板ユニット２ａと一体的に形成され、又下面板部６は、最下段の背面板ユニット２ａの折曲部が延設されてこの背面板ユニット２ａと一体的に形成されているが、別体で作成された上面板部５及び下面板部６が、前面板部１と背面板部２のそれぞれの上端間に取付けられていてもよい。
【００１５】
さらに、吸音材８は、中空体７内の前面側に内装され、背面板ユニット２ａのコ字内部は空洞となされ、すなわち中空体７内の背面側には空気層９が設けられているが、中空体７内の前面側に空気層９を設け、背面板ユニット２ａのコ字内部に吸音材８を内装してもよく、さらに空気層９を設けずに、中空体７内の前面側及び背面板ユニット２ａのコ字内部の両方に吸音材８を内装してもよく、吸音材８を内装する箇所は特に限定されるものではない。
【００１６】
又本形態において、左側面板部３及び右側面板部４の断面形状は、前面側を幅方向に突出させた形状となされてそれぞれ突出部３１，４１が設けられており、防音パネルを立設する際、例えば路面に立設されたＨ型鋼からなる支柱のフランジ（図示せず）に前記突出部３１，４１を固定することにより、防音パネルが支柱に取付けられるようになされているが、特にその断面形状は限定されず、設置方法に応じた形状を採用することができる。
【００１７】
【発明の効果】
本発明によれば、背面板部は、複数個の断面コ字状の背面板ユニットから形成され、その各背面板ユニットの各々が強度を受け持つので、従来の如き背面板部を一枚の板材を折曲したものから形成したものに比べて強度的に優れ、背面板部に従来と同じ板厚の面材を使用しても、強度を保ちつつ高さ寸法を高くすることができる。
【図面の簡単な説明】
【図１】本発明に係る防音パネルの実施の一形態を示す斜視図である。
【図２】図１の分解斜視図である。
【図３】図１の横断面図である。
【図４】図１の縦断面図である。
【符号の説明】
１    前面板部
１ａ  前面板ユニット
１１  開孔
２    背面板部
２ａ  背面板ユニット
３    左側面板部
３１  突出部
４    右側面板部
４１  突出部
５    上面板部
６    下面板部
７    中空体
８    吸音材
９    空気層
【図１】
0003754587.tif 000002
【図２】
0003754587.tif 000003
【図３】
0003754587.tif 000004
【図４】
0003754587.tif 000005